(57)【要約】  本発明は、プーリセットアセンブリのプーリセット（１０，２０）は夫々、軸（４）において軸線方向に互いに対して相対的に移動可能な２つのプーリ（１，２）と、プーリ（１，２）の間において有効なロッカーピン（６）を備えたチェーンアセンブリ（５）とを有しており、ロッカーピン（６）の長手方向軸線（８）は軸（４）の回転軸線（３）に対して平行に延在しており、プーリ（１，２）のロッカーピン（６）との摩擦面（４２）は、所定の半径（ＲＳ１，ＲＳ２）及び偏心量（ＹＳ１，ＹＳ２）により規定されている湾曲を有しており、プーリ（１，２）の偏心量（ＹＳ１，ＹＳ２）は、入力プーリセット（１０）及び出力プーリセット（２０）において異なっている、チェーンＣＶＴのための入力プーリセット（１０）と出力プーリセット（２０）とを備えたプーリセットアセンブリに関する。【特許請求の範囲】
【請求項１】
チェーンＣＶＴのための入力プーリセット（１０）と出力プーリセット（２０）とを備えたプーリセットアセンブリであって、該プーリセットアセンブリの前記プーリセット（１０，２０）は夫々、軸（４）において軸線方向に互いに対して相対的に移動可能な２つのプーリ（１，２）と、該プーリ（１，２）の間において有効なロッカーピン（６）を備えたチェーンアセンブリ（５）とを有しており、前記ロッカーピン（６）の長手方向軸線（８）は前記軸（４）の回転軸線（３）に対して平行に延在しており、前記プーリ（１，２）の前記ロッカーピン（６）との摩擦面（４２）は、所定の半径（ＲＳ１，ＲＳ２）及び偏心量（ＹＳ１，ＹＳ２）により規定されている湾曲を有している、プーリセットアセンブリにおいて、
前記入力プーリセット（１０）におけるプーリ（１，２）の偏心量（ＹＳ１，ＹＳ２）と、前記出力プーリセット（２０）におけるプーリ（１，２）の偏心量（ＹＳ１，ＹＳ２）とは、互いに異なっていることを特徴とする、プーリセットアセンブリ。
【請求項２】
少なくとも一方の前記プーリセットのプーリ（１，２）の湾曲は、該プーリ湾曲の偏心量（ＹＳ）と前記プーリセット半径（ＲＳ）との、０．１４５〜０．２０の範囲にある比率により規定され、前記プーリ湾曲の偏心量（ＹＳ）は、前記プーリ（１，２）の回転軸線（３）に対して垂直に延在している第１の間隔だけ前記プーリ（１，２）の回転軸線（３）から離間されている点（ＳＰ１）により規定され、該点（ＳＰ１）から、前記プーリ（１，２）の互いに向かい合っている面の湾曲を規定するプーリセット半径（ＲＳ）が測定され、該プーリセット半径（ＲＳ）は前記回転軸線（３）を越えて延在していることを特徴とする、請求項１記載のプーリセットアセンブリ。
【請求項３】
前記ロッカーピン（６）の湾曲は、前記ロッカーピンの第１の偏心量（ＹＰ）と第１のロッカーピン半径（ＲＰ）との、０．１６５〜０．１８５の範囲にある第１の比率により規定され、前記第１のロッカーピン半径（ＲＰ）は、前記ロッカーピン（６）の長手方向軸線（８）に対して垂直に延在している第１の間隔だけ前記長手方向軸線（８）から離間されている第１の点（ＷＰ１）から測定され、前記ロッカーピン（６）の湾曲は、方位方向で前記ロッカーピンの第２の偏心量（ＹＰＡ）と第２のロッカーピン半径（ＲＰＡ）との間において規定される、０〜０．０１５の範囲にある第２の比率により規定され、前記第２のロッカーピン半径（ＲＰＡ）は、前記長手方向軸線（８）に対して垂直にかつ前記第１の間隔に対して垂直に延在している、前記ロッカーピンの第２の偏心量（ＹＰＡ）に相当する間隔だけ前記長手方向軸線（８）から離間されている第２の点（ＷＰ２）から測定されることを特徴とする、請求項１又は２記載のプーリセットアセンブリ。
【請求項４】
前記第１の偏心量（ＹＰ）は約３５ｍｍであり、前記第１のロッカーピン半径（ＲＰ）は約２００ｍｍであることを特徴とする、請求項３記載のプーリセットアセンブリ。
【請求項５】
前記第２の偏心量（ＹＰＡ）は約０．４２ｍｍであり、前記第２のロッカーピン半径（ＲＰＡ）は約８０ｍｍであることを特徴とする、請求項３又は４記載のプーリセットアセンブリ。
【請求項６】
前記ロッカーピン（６）の湾曲は、前記ロッカーピンの第１の偏心量（ＹＰ）と第１のロッカーピン半径（ＲＰ）との、０．１５９〜０．１７９の範囲にある第１の比率により規定され、前記第１のロッカーピン半径（ＲＰ）は、前記ロッカーピン（６）の長手方向軸線（８）に対して垂直に延在している第１の間隔だけ前記長手方向軸線（８）から離間されている第１の点（ＷＰ１）から測定され、前記ロッカーピン（６）の湾曲は、方位方向で前記ロッカーピンの第２の偏心量（ＹＰＡ）と第２のロッカーピン半径（ＲＰＡ）との間において規定される、０〜０．０１５の範囲にある第２の比率により規定され、前記第２のロッカーピン半径（ＲＰＡ）は、前記長手方向軸線（８）に対して垂直にかつ前記第１の間隔に対して垂直に延在している、前記ロッカーピンの第２の偏心量（ＹＰＡ）に相当する間隔だけ前記長手方向軸線（８）から離間されている第２の点（ＷＰ２）から測定されることを特徴とする、請求項１又は２記載のプーリセットアセンブリ。
【請求項７】
前記第１の偏心量（ＹＰ）は約３３．７ｍｍであり、前記第１のロッカーピン半径（ＲＰ）は約２００ｍｍであることを特徴とする、請求項６記載のプーリセットアセンブリ。
【請求項８】
前記第２の偏心量（ＹＰＡ）は約０．４２ｍｍであり、前記第２のロッカーピン半径（ＲＰＡ）は約８０ｍｍであることを特徴とする、請求項６又は７記載のプーリセットアセンブリ。
【請求項９】
一方の前記プーリ（１）のプーリ湾曲の偏心量（ＹＳ）は、７５５〜７６５ｍｍの範囲にあり、他方の前記プーリ（２）のプーリ湾曲の偏心量（ＹＳ）は、７９０〜８００ｍｍの範囲にあることを特徴とする、請求項１〜８までのいずれか一項記載のプーリセットアセンブリ。
【請求項１０】
一方の前記プーリ（２）のプーリ湾曲の偏心量（ＹＳ）は、７５５〜７６５ｍｍの範囲にあり、他方の前記プーリ（１）のプーリ湾曲の偏心量（ＹＳ）は、７２０〜７３０ｍｍの範囲にあることを特徴とする、請求項１〜８までのいずれか一項記載のプーリセットアセンブリ。
【請求項１１】
前記プーリセット半径（ＲＳ）は４０００〜６０００ｍｍの間にあることを特徴とする、請求項１から１０までのいずれか一項記載のプーリセットアセンブリ。
【発明の詳細な説明】
【技術分野】
【０００１】
本発明は、チェーンＣＶＴのための入力プーリセットと出力プーリセットとを備えたプーリセットアセンブリに関し、このプーリセットアセンブリのプーリセットは夫々、軸において軸線方向に互いに対して相対的に移動可能な２つのプーリと、これらのプーリの間において有効なロッカーピンを備えたチェーンアセンブリとを有しており、ロッカーピンの長手方向軸線が軸の回転軸線に対して平行に延在しており、プーリのロッカーピンとの摩擦面は、所定の半径及び偏心量により規定されている湾曲を有している。
【０００２】
ドイツ連邦共和国特許出願公開第１０２００５０３７９４１号明細書において、主として入力側及び出力側のプーリセットを有する円錐形プーリ式巻掛け伝動装置が開示されている。各プーリセットは、入力側若しくは出力側の軸に夫々配置されていて、トルク伝達のためのチェーンアセンブリを介して互いに結合されている固定プーリ及び可動プーリを有している。
【０００３】
ドイツ連邦共和国特許出願公開第３４４７０９２号明細書において、円錐形プーリの摩擦面及びチェーンアセンブリの押圧部材の端面が、互いに向かい合って円弧状に延在する球状部を有している、無段階式に変速比調節可能な円錐形プーリ式巻掛け伝動装置が公知になっている。この円錐形プーリ式巻掛け伝動装置において、プーリセットのプーリは同じ球状部を有している。この球状部は、プーリの軸線方向の断面における所定の半径、及び場合によっては半径の中心点の偏心量により規定される。ロッカーピンの端面は、半径方向、場合によっては方位方向にも球状部を有している。
【０００４】
従来技術においては目下、半径角１０．１°を備えたチェーン及び半径角９．７°を備えたチェーンが使用される。リンクプレートチェーンのロッカーピンの上記２つの構成は、５０００ｍｍの湾曲半径及び７６０ｍｍの偏心量を備えた湾曲したプーリを使用する。垂線に対する接線角はプーリ対の運転領域に亘って約９〜９．８°の間において生じる。
【０００５】
１０．１°のチェーンは運転中に、９．７°のチェーンよりも音に関して静かに走行する一方で、１０．１°のチェーンにおいては、９．７°のチェーンよりも高い摩耗が発生する。９．７°のチェーンは摩耗に関して、１０．１°のチェーンに対して比較的最適化されていて、１０．１°のチェーンは音に関して、９．７°のチェーンに対して最適化されている。
【０００６】
したがって本発明の目的は、リンクプレートチェーンの自体公知のロッカーピンを使用した場合に、運転中の摩耗及び騒音に関する特性に関して最適な状態を示すことである。
【０００７】
上記目的は、チェーンＣＶＴのための入力プーリセットと出力プーリセットとを備えたプーリセットアセンブリにおいて、プーリセットアセンブリのプーリセットが夫々、軸において軸線方向に互いに対して相対的に移動可能な２つのプーリと、これらのプーリの間において有効なロッカーピンを備えたチェーンアセンブリとを有しており、ロッカーピンの長手方向軸線が軸の回転軸線に対して平行に延在しており、プーリのロッカーピンとの摩擦面は、所定の半径及び偏心量により規定されている湾曲を有しており、入力プーリセットにおけるプーリの偏心量と出力プーリセットにおけるプーリの偏心量とは、互いに異なっていることにより達成されるようになっている。
【０００８】
有利には、少なくとも一方のプーリセットのプーリの湾曲は、プーリ湾曲の偏心量とプーリセット半径との、０．１４５〜０．２０の範囲にある比率により規定され、プーリ湾曲の偏心量は、プーリの回転軸線に対して垂直に延在している第１の間隔だけプーリの回転軸線から離間されている点により規定され、この点からプーリの互いに向かい合っている面の湾曲を規定するプーリセット半径が測定され、プーリセット半径は回転軸線を越えて延在しているようになっている。
【０００９】
有利には、ロッカーピンの湾曲は、ロッカーピンの第１の偏心量と第１のロッカーピン半径との、０．１６５〜０．１８５の範囲にある第１の比率により規定され、第１のロッカーピン半径は、ロッカーピンの長手方向軸線に対して垂直に延在している第１の間隔だけ長手方向軸線から離間されている第１の点から測定され、ロッカーピンの湾曲は、方位方向でロッカーピンの第２の偏心量と第２のロッカーピン半径との間において規定される０〜０．０１５の範囲にある第２の比率により規定され、第２のロッカーピン半径は、長手方向軸線に対して垂直にかつ第１の間隔に対して垂直に延在する、ロッカーピンの第２の偏心量に相当する間隔だけ長手方向軸線から離間されている第２の点から測定されるようになっている。
【００１０】
有利には、第１の偏心量は約３５ｍｍであり、第１のロッカーピン半径は約２００ｍｍであるようになっている。
【００１１】
有利には、第２の偏心量は約０．４２ｍｍであり、第２のロッカーピン半径は約８０ｍｍであるようになっている。
【００１２】
有利には、ロッカーピンの湾曲は、ロッカーピンの第１の偏心量と第１のロッカーピン半径との、０．１５９〜０．１７９の範囲にある第１の比率により規定され、第１のロッカーピン半径は、ロッカーピンの長手方向軸線に対して垂直に延在している第１の間隔だけ長手方向軸線から離間されている第１の点から測定され、ロッカーピンの湾曲は、方位方向でロッカーピンの第２の偏心量と第２のロッカーピン半径との間において規定される０〜０．０１５の範囲にある第２の比率により規定され、第２のロッカーピン半径は、長手方向軸線に対して垂直にかつ第１の間隔に対して垂直に延在している、ロッカーピンの第２の偏心量に相当する間隔だけ長手方向軸線から離間されている第２の点から測定されるようになっている。
【００１３】
有利には、第１の偏心量は約３３．７ｍｍであり、第１のロッカーピン半径は約２００ｍｍであるようになっている。
【００１４】
有利には、第２の偏心量は約０．４２ｍｍであり、第２のロッカーピン半径は約８０ｍｍであるようになっている。
【００１５】
有利には、一方のプーリのプーリ湾曲の偏心量は、７５５〜７６５ｍｍの範囲にあり、他方のプーリのプーリ湾曲の偏心量は、７９０ｍｍ〜８００ｍｍの範囲にあるようになっている。
【００１６】
有利には、一方のプーリのプーリ湾曲の偏心量は、７５５〜７６５ｍｍの範囲にあり、他方のプーリのプーリ湾曲の偏心量は、７２０〜７３０ｍｍの範囲にあるようになっている。
【００１７】
有利には、プーリセット半径は４０００〜６０００ｍｍの間にあるようになっている。
【００１８】
有利には、プーリセット半径は５０００ｍｍであるようになっている。
【００１９】
有利には、プーリセットは固定プーリ及び可動プーリを有しているようになっている。
【００２０】
有利には、本発明は請求項１から１２までのいずれか一項記載のプーリセットアセンブリを有するようになっている。
【図面の簡単な説明】
【００２１】
【図１】プーリの輪郭を説明するための、入力プーリセットの概略図である。
【図２】ロッカーピンの輪郭を説明するための概略図である。
【図３】公知の円錐形プーリ式巻掛け伝動装置を付属の制御装置と共に概略的に示す原理図である。
【００２２】
以下に、本発明の実施の形態を図面に基づき詳細に説明する。
【００２３】
本発明をより良く理解するために及び使用する概念を明確にするために、先行技術に基づく円錐形プーリ式巻掛け伝動装置（チェーンＣＶＴ）を図３に基づいて説明する。チェーンＣＶＴは２つの円錐形プーリ対、つまり入力プーリセット１０と出力プーリセット２０とを有している。駆動プーリセット１０の固定プーリ１は、例えば内燃機関によって駆動される入力軸４に不動に結合されている。他の円錐形プーリ対、つまり出力プーリセット２０の固定プーリ２１は、車両を駆動する出力軸４０に不動に結合されている。他の円錐形プーリ、つまり入力プーリセット１０の可動プーリ２は、相対回転不能であるが、軸線方向に移動可能に入力軸４に結合されている。出力プーリセット２０の他の円錐形プーリ２２は、相対回転不能にかつ軸線方向に移動可能に出力軸４０に結合されている。２つのプーリセット１０，２０を巡って、円錐形プーリの互いに向かい合った円錐面と摩擦係合している、例えばチェーンアセンブリ５といった巻掛け手段が走行する。各円錐形プーリ対の２つの円錐形プーリの間の軸線方向の間隔を逆方向に調節することにより、２つの円錐形プーリ対の間の回転数比、ひいては伝動装置の変速比を変更することができる。変速比調節のために、例えばハイドロリック管路１２，１３を介して制御弁ユニット１４に結合されている圧力室９，１１が働く。制御弁ユニット１４により、変速比を調節するための液圧媒体圧による圧力室９，１１への負荷が制御可能である。制御弁ユニット１４の制御のために、付属のメモリ装置を備えたマイクロプロセッサを内蔵していて、かつ、例えば伝動装置を操作するためのシフトレバーユニット、走行ペダル、回転数センサ等に結合されている入力部と、例えばクラッチ、モータ（図示せず）の出力作動部材及び制御弁ユニット１４に結合されている出力部とを有する制御機器が働く。円錐形プーリ式巻掛け伝動装置の構造及び機能自体は公知であるので、さらに説明しない。
【００２４】
図１に、主に固定プーリ１と可動プーリ２とを有するチェーンＣＶＴ（連続可変トランスミッション）のための、機能に関して最適化された輪郭を備えた入力プーリセットを概略的に示す。図１において軸４の回転軸線３の上側における可動プーリ２は、固定プーリ１に対して直近の位置にあり、軸４の回転軸線３の下側における可動プーリ２は、固定プーリ１から最も離れた位置にある。固定プーリ１と可動プーリ２との間に記載されているチェーンアセンブリは符号５を用いて示す。特に横断面においてチェーンアセンブリ５のロッカーピン６が示されている。
【００２５】
軸４の回転軸線３の上側に示されている可動プーリ２の位置において、ロッカーピン６はオーバドライブ位置にある一方で、軸４の回転軸線３の下側の一点鎖線７は、アンダードライブ位置あるロッカーピン６の位置を示す。
【００２６】
上記プーリセットアセンブリは、上記点に関しては公知である。
【００２７】
本発明は、プーリセットの固定プーリ１及び可動プーリ２の具体的なプーリ輪郭、及びこのプーリ輪郭に適合したチェーンアセンブリ５のロッカーピン６の輪郭に関する。
【００２８】
固定プーリ１は、ロッカーピン６との摩擦面４２が球形に構成されていて、つまり図１のような断面図において所定の半径を有するプーリ輪郭を有している。固定プーリ１における半径は符号ＲＳ１を用いて示し、可動プーリ２における半径は符号ＲＳ２を用いて示す。プーリ１，２の任意の方位断面に対する半径の中心点は夫々、回転軸線３から、固定プーリ１においては偏心量ＹＳ１だけずらされており、可動プーリ２においては偏心量ＹＳ２だけずらされている。半径ＲＳ１，ＲＳ２及び偏心量ＹＳ１，ＹＳ２は夫々、同一であってよいか又は異なっていてよい。固定プーリ１のプーリセット半径は、回転軸線３に対して垂直に測定された偏心量ＹＳ１に相当する間隔だけ回転軸線３から離間されている点ＳＰ１から測定される。これに応じて、可動プーリ２のプーリセット半径は、回転軸線３に対して垂直に測定された、偏心量ＹＳ２に相当する間隔だけ回転軸線３から離間されている点ＳＰ２を起点に測定される。
【００２９】
図２に、ロッカーピン６の輪郭に関する略図を示す。このロッカーピン６の端面４１には、球状の丸味付けされた面が設けられている。ロッカーピン６の丸味付けされた面の湾曲は、第１のロッカーピン半径ＲＰ及び第２のロッカーピン半径ＲＰＡにより規定される。第１のロッカーピン半径ＲＰは、ロッカーピン６の長手方向軸線８に対して垂直に延在している、第１の偏心量ＹＰに相当する第１の間隔だけ長手方向軸線８から離間されている第１の点ＷＰ１を起点に測定される。方位方向に延在している第２のロッカーピン半径ＲＰＡは、ロッカーピン６の長手方向軸線８に対して、さらに第１の間隔ＹＰに対して垂直に延在している、第２の偏心量ＹＰＡに相当する第２の間隔だけ長手方向軸線８から離間されている第２の点ＷＰ２を起点にして測定される。つまり端面４１は半径方向に所定の角度γＲを有し、この角度γＲに対して方位方向で垂直に角度γＡを有している。この角度γＡは、端面４１の表面の種々異なる点に対して異なっており、各点に接する接線方向の面により規定される。
【００３０】
図２に、固定プーリ１及び可動プーリ２のプーリセット輪郭に適合したチェーンアセンブリ５のロッカーピン６の輪郭を示す。この実施の形態において、ロッカーピン６の湾曲は、第１のロッカーピン半径ＲＰ及び第２のロッカーピン半径ＲＰＡにより規定される。第１のロッカーピン半径ＲＰは、第１の偏心量ＹＰに応じて、長手方向軸線８に対して垂直に延在している第１の間隔だけロッカーピン６の長手方向軸線８から離間されている第１の点ＷＰ１を起点に測定される。方位方向に延在する第２のロッカーピン半径ＲＰＡは、第２の偏心量ＹＰＡに応じて、長手方向軸線８に対して垂直に、さらに第１の間隔に対して垂直に延在している第２の間隔だけロッカーピンの長手方向軸線８から離間されている第２の点ＷＰＡを起点に測定される。
【００３１】
以下の表１は、プーリセットとロッカーピン６との、有利であることを実証した組合せを示す。実施の形態（３）、（４）においては、入力プーリセット１０及び出力プーリセット２０の幾何学形状を交換することもできる。
【００３２】
実施の形態（１）は先行技術であり、対比のために記載した。ロッカーピン６の半径角若しくは仰角γＲは、この実施の形態では１０．１°である。入力・出力プーリセット１０，２０の固定プーリ及び可動プーリは夫々、５０００ｍｍの同一の半径ＲＳ１，ＲＳ２と、７６０ｍｍの同一の偏心量ＹＳ１，ＹＳ２を有している。実施の形態（２）においては、実施の形態（１）と同じプーリセットが使用され、ロッカーピン６の半径角γＲは９．７°である。ロッカーピン６と、固定プーリ１及び可動プーリ２から成るプーリ対との接触は、実施の形態（２）においては、実施の形態（１）よりも良好であるが、その代わりに騒音に関しては劣悪になる。
【００３３】
実施の形態（１）を基準とした場合（入力プーリセットにおいてＹＳ１＝７６０ｍｍ及び出力プーリセットにおいてＹＳ２＝７６０ｍｍのプーリセットに対して、γＲ＝１０．１°のロッカーピンを備えたチェーン）、１０．１°を備えたチェーンによって、（入力部及び／又は出力部において）ＹＳ＝７６０ｍｍとＹＳ＝７９５ｍｍとの間の偏心量を有するプーリセットの全ての実施の形態は、強度に関しては利点を、騒音に関しては欠点を示す。
【００３４】
実施の形態（３）、（４）は、プーリ対に対するロッカーピン６の接触と騒音との妥協点・調整点に対する実施の形態である。実施の形態（３）において１０．１°の半径角γＲを備えたロッカーピンが使用される。固定プーリ１及び可動プーリ２は、夫々５０００ｍｍの同じ半径ＲＳ１，ＲＳ２を有する。偏心量ＹＳ１，ＹＳ２は互いに異なり、入力プーリセット１０の固定プーリ及び可動プーリに対してはＹＳ１＝７６０ｍｍであり、出力プーリセット２０の固定プーリ及び可動プーリに対してはＹＳ２＝７９５ｍｍである。ロッカーピン６とプーリ対との接触は実施の形態（２）と同等であり、騒音は実施の形態（１）と実施の形態（２）との中間にある。
【００３５】
実施の形態（４）においては、９．７°の半径角γＲを備えたロッカーピンが使用される。プーリセット１０，２０は、夫々５０００ｍｍの同じ半径ＲＳ１，ＲＳ２を有している。偏心量ＹＳ１，ＹＳ２は互いに異なり、入力プーリセット１０の固定プーリ及び可動プーリに対してはＹＳ１＝７２５ｍｍ、出力プーリセット２０の固定プーリ及び可動プーリに対してはＹＳ２＝７６０ｍｍである。ロッカーピン６とプーリ対との接触は実施の形態（２）と同等であり、騒音は実施の形態（１）と実施の形態（２）との中間にある。
【００３６】
【表１】
2013504719.tif 000002
【００３７】
５０００ｍｍの半径ＲＳ１若しくはＲＳ２、及び７６０ｍｍの偏心量ＹＳ１若しくはＹＳ２を夫々備えた、実施の形態（３）の入力プーリセット１０若しくは実施の形態（４）の出力プーリセット２０において、ＲＳ及びＹＳの値を別の実施の形態においては変更することができる。以下、番号１，２は読みやすくするために省略する。半径ＲＳは、別の実施の形態においては４０００〜６０００ｍｍの範囲にあり、偏心量ＹＳは７５５〜７６５ｍｍの範囲にある。比率ＹＳ／ＲＳは、０．１４５〜０．２の範囲に維持される。
【００３８】
これと同様に実施の形態（３）における出力プーリセット２０のパラメータＲＳ及びＹＳ（この実施の形態においては、出力プーリセット２０の可動・固定プーリは５０００ｍｍの半径ＲＳ及び７９５ｍｍの偏心量ＹＳを有する）を変更することができる。半径ＲＳは、別の実施の形態においては、４０００〜６０００ｍｍの範囲にあり、偏心量ＹＳは７９０〜８００ｍｍの範囲にある。比率ＹＳ／ＲＳは、０．１４５〜０．２の範囲に維持される。上記値は、固定プーリにおいて使用することもでき、表１における固定プーリ１及び可動プーリ２に対する値ＹＳ及びＲＳは交換することができる。可動プーリ２における値の代わりに、固定プーリ１におけるＲＳ及びＹＳに対する値が変更される。
【００３９】
これと同様に、実施の形態（４）（５０００ｍｍの半径ＲＳと、７２５ｍｍの偏心量ＹＳとを有する）における固定プーリのパラメータＲＳ及びＹＳを変更することができる。さらに別の実施の形態において、半径ＲＳは４０００〜６０００ｍｍの範囲にあり、偏心量ＹＳは７２０〜７３０ｍｍの範囲にある。比率ＹＳ／ＲＳは０．１４５〜０．２の範囲に維持される。
【００４０】
１０．１°の半径角γＲ（実施の形態（３）参照）を備えたロッカーピン６は、２００ｍｍの第１のロッカーピン半径ＲＰの場合に、３５ｍｍの第１の偏心量ＹＰを有する。第２の偏心量ＹＰＡは、８０ｍｍの第２のロッカーピン半径ＲＰＡの場合に、０．４２ｍｍである。比率ＹＳ／ＲＳは、０．１６５〜０．１８５の範囲にあり、比率ＹＰＡ／ＲＰＡは０〜０．０１５の範囲にある。
【００４１】
９．７°の半径角γＲを備えたロッカーピン６（実施の形態（４）参照）は、２００ｍｍの第１のロッカーピン半径ＲＰの場合に、３３．７ｍｍの第１の偏心量ＹＰを有する。第２の偏心量ＹＰＡは、８０ｍｍの第２のロッカーピン半径ＲＰＡの場合に、０．４２ｍｍである。比率ＹＰ／ＲＰは０．１５９〜０．１７９の範囲にあり、比率ＹＰＡ／ＲＰＡは０〜０．０１５の範囲にある。
【００４２】
騒音検査状態において上記実施の形態の騒音測定が、音響的な特性及び摩耗に関して本発明の有利な効果を証明する。
【符号の説明】
【００４３】
１  固定プーリ
２  可動プーリ
３  回転軸線
４  入力軸
５  チェーンアセンブリ
６  ロッカーピン
７  線
８  長手方向軸線
９  圧力室
１０  入力プーリセット
１２  液圧管路
１３  液圧管路
１４  制御弁ユニット
１５  制御機器
２０  出力プーリセット
２１  固定プーリ
２２  円錐形プーリ
４０  出力軸
４１  端面
４２  摩擦面
ＹＳ  偏心量
ＲＳ  プーリセット半径
ＹＰ  偏心量
ＲＰ  ロッカーピン半径
ＹＰＡ  偏心量
ＲＰＡ  ロッカーピン半径
ＳＰ１  点
ＷＰ１  点
ＷＰ２  点
γＲ  半径角若しくは仰角
γＡ  方位角
【図１】
2013504719.tif 000003
【図２】
2013504719.tif 000004
【図３】
2013504719.tif 000005
【国際調査報告】
2013504719.tif 000006
2013504719.tif 000007
2013504719.tif 000008
2013504719.tif 000009